(57)【特許請求の範囲】
【請求項１】
流体密のケーシング（２）の内部で２つの取付端部（７）の間に配置された１つの能動部（３）を有するサージアレスタ（１）であって、
前記能動部は多数のアレスタ素子（４、４０、４１、４２、４３）を有し、これらのアレスタ素子は少なくとも３つの平行なスタック（１００、２００、３００）の形で横並びに配置されており、
垂直方向に間隔を置いて配置された多数のスペーサ（５、５０）が、各スペーサが縦方向の電気接続を行う第１スタック（１００、２００、３００）の１つのスタックセグメント（１０１、１０２、２０１、２０２、３０１）により貫通されるように、前記複数のスタック（１００、２００、３００）内に挿入されており、
第２スタックおよび第３スタック（１００、２００、３００）が垂直方向に間隔を置いて複数のスタックセグメント（１０１、１０２、２０１、２０２、３０１）に分割されており、前記スペーサ（５、５０）が、前記第２スタックおよび第３スタック（１００、２００、３００）の水平方向に横並びに配置されたスタックセグメント（１０１、１０２、２０１、２０２、３０１）間の横方向の電気接続を行い、
前記ケーシング（２）が、外部からケーシング（２）内部への電気接続をケーシング（２）に対して絶縁して行う高電圧ブッシング（６）を有し、１つの取付端部（７）がコンタクトピン（１０）により高電圧ブッシング（６）と電気的に接続可能であり、ここに、
前記コンタクトピン（１０）が、前記ケーシング（２）の外部から操作可能な断路機構（２０）を用いて、前記取付端部（７）と前記高電圧ブッシング（６）との接続を分離することができるように、垂直方向に変位可能であり、
前記断路機構（２０）が、前記コンタクトピン（１０）と結合された１つのプッシュロッド（２２）と、前記ケーシング（２）の外部に配置された操作機構（２４）と結合された１つの回転軸（２１）とを有し、前記プッシュロッド（２２）と前記回転軸（２１）は１つのねじ付きナット（２３）により互いに連結されており、
前記ねじ付きナット（２３）が、少なくとも１つのスペーサ（５、５０）の貫通孔（５５）内で、該ねじ付きナット（２３）がねじれ強度を有し、且つ、垂直方向に移動可能なように前記スペーサ（５、５０）内で支承されているように、ガイドされている
ことを特徴とするサージアレスタ。
【請求項２】
請求項１に記載のサージアレスタにおいて、
前記能動部（３）が、正三角形状に配置されている３つのスタック（１００、２００、３００）を有し、前記スペーサ（５、５０）が１つの水平方向軸（６０）に関して鏡面対称である
ことを特徴とするサージアレスタ。
【請求項３】
請求項２に記載のサージアレスタにおいて、
少なくとも１つのスペーサ（５、５０）が３つのスタック（１００、２００、３００）全てを水平方向に外から囲んでいる
ことを特徴とするサージアレスタ。
【請求項４】
請求項１から３のいずれか１項に記載のサージアレスタにおいて、
前記両方の取付端部（７）が多数の拘束要素（９）を用いて互いに結合されており、これらの拘束要素の内、少なくとも幾つかが前記複数のスペーサ（５、５０）により水平方向に囲まれている
ことを特徴とするサージアレスタ。
【請求項５】
請求項４に記載のサージアレスタにおいて、
多数の拘束要素（９）が前記複数のスペーサ（５、５０）を外側から支えるように、これらの拘束要素が前記複数のスペーサ（５、５０）の外側に配置されている
ことを特徴とするサージアレスタ。
【請求項６】
請求項１から５のいずれか１項に記載のサージアレスタにおいて、
各スペーサ（５、５０）が１つの絶縁皿（５１）と、横方向の接続のためにこの絶縁皿上に載置された１つのコンタクトプレート（５２、５３）とを有する
ことを特徴とするサージアレスタ。
【請求項７】
請求項６に記載のサージアレスタにおいて、
前記コンタクトプレート（５２、５３）が載置される面に、導電層（５４）が、前記絶縁皿（５１）に被着されている
ことを特徴とするサージアレスタ。
【請求項８】
請求項７に記載のサージアレスタにおいて、
前記絶縁皿（５１）における胴部（５６）が、前記コンタクトプレート（５２、５３）の当接面の終端である
ことを特徴とするサージアレスタ。
【請求項９】
請求項８に記載のサージアレスタにおいて、
前記導電層（５４）が、少なくとも部分的に前記胴部（５６）に達している
ことを特徴とするサージアレスタ。
【発明の詳細な説明】
【技術分野】
【０００１】
本発明は、請求項１の前文による、流体密なケーシングでカプセル封止されたサージアレスタに関する。
【背景技術】
【０００２】
サージアレスタは、例えば開閉装置用の保護システムであり、これらの保護システムは、雷撃または他の部分システムの誤作動に起因して過電圧が生じたときに、その過電圧をアースに流すことによって、開閉装置における他の部品を保護する。
【０００３】
この種のサージアレスタは、１つまたは複数の能動部を含み、これらの能動部はそれぞれ、複数の個別の円筒形のアレスタ素子によって構成された、スタックを有する。
アレスタ素子の特徴は、電圧に依存する抵抗にある。これらは、低電圧では絶縁物として機能する。物質によって決まる或る特定の電圧閾値を超えると、これらは良好な導電性を示す。アレスタ素子は、多くの場合、酸化亜鉛のような金属酸化物から製造される。そのスタックは、その両端が複数の取付端部に接し、それらの取付端部は、開閉装置およびアースへの電気的な接続を行う。機械的な負荷が掛かっている状態においても良好な電気的接触を保証すべく、その能動部は、押圧を加えた状態で保持されねばならない。これは、例えば、特にグラスファイバーで強化された樹脂製のパイプ、ロープまたはロッドのような複数の拘束要素を、両方の取付端部に張力下で固定することによって、実現することができる。その場合、それらの拘束要素はスタックを取り囲む。
【０００４】
ガス絶縁開閉装置内での使用のために、サージアレスタは、カプセル封止された流体密なケーシングを有し、このケーシングが、能動部を取り囲んでいる。この場合、絶縁破壊強度を高めるべく、このケーシングには流体が、大抵は六フッ化硫黄が、充填されている。このケーシングは、例えば金属製の導電性材料からなり、電気的に接地されている。能動部の一方の取付端部は、このケーシングを通って導かれる接点を介してアースされている。他方の取付端部は、ブッシングを介してケーシングの外部にある接点と電気的に接続されており、この接点によって、開閉装置への接続が行われる。
【０００５】
開閉装置の電気的試験を行う場合には、高電圧が印加されるので、サージアレスタを開閉装置から分離しなければならない。そうしなければ、サージアレスタがこの電圧をアースに逃がし、測定結果が正しくないものとなる。
【０００６】
開閉装置のこの分離は、ケーシング内部で電気接続が分離されることにより行われる。このためには、ケーシングを開放しなければならず、その際に六フッ化硫黄が流出する。これを避けるべく、サージアレスタには断路機構が設けられ、これにより、ケーシングを開くことなく、能動部を開閉装置から分離することが可能となる。
【０００７】
この種のサージアレスタは、例えば特許文献１によって公知である。この場合、１スタック構成の１つの能動部が、１つの流体密なケーシングの中に配置されている。ここでは可動の制御フードが断路機構としての機能を果たす。しかし、その能動部は、高電圧用のものでは数メートルの長さになることがある。
【０００８】
４つのスタックで構成された１つの能動部を有するサージアレスタが、特許文献２によって公知である。それらのスタックは、１つのケーシング軸の周りに回転対称に正方形に配置されている。この形態はコンパクトであるが、断路機構を備えていない。
【０００９】
特許文献３から、１列に配置された３つのスタックに分割された１つの能動部を有するサージアレスタが公知であるが、これは断路機構を備えていない。
【００１０】
特許文献４から、絶縁されたケーシング内のサージアレスタが公知であり、この場合には、１つの能動部が、互いに電気的に接続された３つのスタックで構成されている。これらの３つのスタックは、複数の陶磁器円盤により複数のスタックセグメントに分割されている。これらのスタック間の接続はこれら陶磁器円盤上の複数の金属プレートにより行われる。ここでの欠点は、このようなサージアレスタは組み立てが難しく、かつ、断路機構を備えていないことである。
【００１１】
公知の従来技術での欠点は、前述の高電圧用のサージアレスタが、非常に長くて簡単に構成されているか、あるいは、コンパクト且つ複雑に構成されているので組み立てに手間がかかる、という点にある。断路機構を追加設置すると、構成がさらに複雑になる。
【先行技術文献】
【特許文献】
【００１２】
【特許文献１】独国特許出願公開第１０２０１１０７７３９４Ａ１号明細書
【特許文献２】米国特許出願公開第４８１４９３６Ａ１号明細書
【特許文献３】国際公開第２０１４／１７３４６２Ａ１号パンフレット
【特許文献４】米国特許出願公開第３４１２２７３（Ａ）号明細書
【発明の概要】
【発明が解決しようとする課題】
【００１３】
本発明の課題は、断路機構を備え、且つ、容易に製作可能な、コンパクトなサージアレスタを提供することにある。
【課題を解決するための手段】
【００１４】
この課題は、請求項１による本発明の手段により解決される。
【００１５】
それにより、流体密のケーシング内に配置された１つの能動部を有するサージアレスタが提供される。そのケーシングは、導電性材料から成り、運転状態ではアースされている。この能動部は、２つの取付端部の間に配置された多数のアレスタ素子を含み、これら複数のアレスタ素子は積層されて、互いに横並びに配置されて互いに平行な少なくとも３つのスタックに形成されている。これらのスタックは垂直方向に延びている。垂直方向に間隔を置いて配置された多数のスペーサがこれら複数のスタックに挿入されており、この場合、各スペーサは、第１スタックの、縦方向の電気接続を行う１つのスタックセグメントにより貫通されている。さらに、各スペーサは、第２および第３のスタックを垂直方向に間隔を置いて配置された複数のスタックセグメントに分割している。この場合、このスペーサは、第２および第３スタックの水平方向に横並びに配置された複数のスタックセグメント間の横方向の相互の電気接続を行うように形成されている。ここで、第１、第２および第３スタックという呼称は、１つの特定のスペーサを基準にしている。而して別の第２スペーサを基準にすれば、第１スペーサを基準にして第１スタックに相当するスタックは、第２スタックあるいは第３スタックに相当するとも考えられる。このケーシングは、１つの高電圧ブッシングを有し、このブッシングはケーシングに対して絶縁された電気接続を外部からケーシング内へ引き込む。取付端部の一方はコンタクトピンにより高電圧ブッシングと接続可能である。
【００１６】
本発明によれば、前述のコンタクトピンはケーシング外部から操作可能な断路機構を用いて、前述の取付端部と高電圧ブッシングとの接続を分離することができるように、垂直方向に変位可能である。
【００１７】
これら複数のスペーサにより、１つの電流路が能動部の全スタックを通って蛇行状に導かれる。これに相応した１つの能動部の長さは、同一電圧クラスの１スタック構成能動部の長さの約１／３でしかなく、非常にコンパクトである。これらのスペーサにより、組み立てが簡単になる。というのは、これらのスペーサは複数のアレスタ素子を積層する時に、特定の間隔でこれらのスタックに挿入すればよいからである。前述の断路機構により、ケーシングを開くことなしに、能動部を開閉装置から簡単に分離することができる。
【００１８】
本発明の好適な一形態では、この断路機構は、前述のコンタクトピンと結合された１つのプッシュロッド、および、ケーシングの外側に配置された操作機構と結合された１つの回転軸を有する。プッシュロッドと回転軸は１つのねじ付きナットにより互いに連結されている。このような断路機構は特に簡単に構成されており、容易に組み立てることができる。
【００１９】
この場合、好適には、前述のねじ付きナットは、少なくとも１つのスペーサの、好適には複数のスペーサの貫通孔内で次のようにガイドされている。すなわち、このねじ付きナットが１つまたは複数のスペーサの中で、ねじれ強度を有し、且つ、垂直方向に移動可能に支承されるように、ガイドされている。好適には、前述の貫通孔は、スペーサの中心に配置されている。これにより、この駆動機構の特に簡単なガイドが達成される。
【００２０】
好適な一形態では、この能動部は３つのスタックを有し、これらが正三角形状に配置されている。この場合、スペーサは１つの水平方向軸に関して鏡面対称性を有する。これらのスタックのこのような幾何学的配置は特にコンパクトである。この幾何学的配置により、断路機構を幾何学的な中心に配置することができる。そのことにより可能となる鏡面対称な複数のスペーサにより、能動部の複数の異なる箇所に単一種類の複数のスペーサを差し込むことが可能となる。そのためには、それらのスペーサを垂直方向軸の周りに回転するだけでよい。
【００２１】
他の好適な形態では、１つのスペーサが３つのスタック全てを外から取り囲んでいる。このことが全てのスペーサに適用されていると好適である。これにより、これらのスペーサは複数のスタックを水平方向に安定せしめ、またそれにより、組み立ても容易なものとなる。
【００２２】
両方の取付端部が多数の拘束要素によって互いに結合されていると好適である。複数の拘束要素の少なくとも幾つか、すなわち、少なくとも２つ、好適には少なくとも３つが複数のスペーサにより水平方向に囲まれている。すなわち、これら複数のスペーサは開口部を有し、これら開口部を貫通して複数の拘束要素が延びている。これにより、特に三角形配置の場合には、複数のスタックの間にも複数の拘束要素を配置することが可能となり、これによって能動部の安定性が高められる。これらの拘束要素が一体型であると特に好適であり、特に好適には一体型のロッドとして構成されており、この一体型の拘束要素の両端が両方の取付端部に固定されている。
【００２３】
多数の拘束ロッドが複数のスペーサを外から支えるように、これらの拘束ロッドがスペーサの外部で水平方向に配置されていると特に好適である。これによって、能動部は水平方向に安定化され、組み立てが容易になる。
【００２４】
特に好適には、３つのスタックのそれぞれが、多数の、好適には少なくとも４つの拘束要素で取り囲まれており、それぞれ少なくとも１つの拘束要素が２つのスタックの間に配置されており、これら両方のスタックが、拘束要素を共有している。例えば、スタックが三角形状に配置されていて、その各スタックが丁度４つの拘束要素で囲まれている場合には、拘束要素の３つは内側、すなわち、それぞれ２つのスタックの間に配置され、６つの拘束要素が外側に、すなわち、これらのスタックを外側で水平方向に囲んでいる円の外側に、配置されている。斯くして、３つのスタックを有する１つの能動部を、９つの拘束要素だけで構成することができ、それにより、その構造が極めて簡易なものとなる。
【００２５】
本発明の好適な一形態では、各スペーサが、１つの絶縁皿と、その上に載置される横方向接続用の１つのコンタクトプレートとを有する。この絶縁皿は、例えば樹脂で低コストに作ることができ、導電性で通電容量の大きいコンタクトプレートは、例えば、アルミニウムまたは鋼の打ち抜き部品として形成することができる。
【００２６】
特に好適には、コンタクトプレートが載置される面に、導電層が絶縁皿に被着されている。組み立て時にコンタクトプレートが載置される絶縁皿の表面部に、前もって導電層が、例えば導電性塗料として、被着される。この導電層によって、場合により生じる不均一面での、コロナ放電を防ぐことができる。この不均一面では、コンタクトプレートが絶縁皿に完全には平面状に当接せず、その結果、空気または絶縁性流体が閉じ込められる。
【００２７】
さらに好適には、絶縁皿の胴部がコンタクトプレートの当接面の終端となっている。この胴部は、絶縁皿の端部から垂直方向に延びている。この胴部は、スタックセグメントの水平方向のガイドとして機能し、組み立てを容易なものとする。
【００２８】
前述の導電層が少なくとも部分的にこの胴部まで達していると、さらに好適である。すなわち、この導電層は、水平方向から、胴部に沿って垂直方向にも胴部の内側に達している。その結果、この導電層は、内部にコンタクトプレートが入っている一種のバスタブを形成する。これにより、コンタクトプレートのエッジが効果的にシールドされるので、尖った電極の不均一な電界効果によるコロナ放電を防ぐことが可能となる。
【００２９】
以下に本発明を図面に基づいて詳細に説明する。
互いに相応する部分にはすべての図で同一符号が付されている。
【図面の簡単な説明】
【００３０】
【図１】本発明によるサージアレスタの部分断面図
【図２】能動部の模式図
【図３】本発明によるサージアレスタの長手方向断面図
【図４】本発明によるサージアレスタの横方向断面図
【図５】能動部の斜視図
【図６】能動部の別の斜視図
【発明を実施するための形態】
【００３１】
図１は、本発明によるサージアレスタ１の部分断面図である。流体密のケーシング２の中に、１つの能動部３が配置されている。ケーシング２は、概ね円筒形であり、垂直方向を規定する縦方向軸３０に沿って延びている。この縦方向軸３０に垂直な方向が、水平方向である。ケーシング２は、導電性材料から成り、組み込み時に開閉装置にアース接続される。ケーシング２の高電圧側には、高電圧ブッシング６が設けられており、このブッシングが、ケーシング２の外部からケーシング２の内部への電気接続を行う。ブッシング絶縁部１７が、高電圧ブッシング６をケーシング２に対して絶縁している。
【００３２】
ケーシング２のアース側は、ケーシング蓋８で閉じられている。ケーシング蓋８を通って、一つには回転軸２１が、他には模式的にしか示されていない電気的アース接続が、案内されている。それら両者は、ケーシング蓋８を通って流体密に案内されており、さらに、電気的アース接続２５は、ケーシング蓋８に対して電気的に絶縁されている。
【００３３】
ケーシング２の中に、１つの能動部３が配置されている。この能動部３は、多数のスタック１００、２００、３００を含むが、断面図なので、この内のスタック３００は視野には入っていない。これらのスタック１００、２００、３００はそれぞれ、互いに上下に積層された複数のアレスタ素子４から構成されている。これらスタック１００、２００、３００の中に、間隔を置いて複数のスペーサ５が挿入されている。能動部３の高電圧側は、取付端部７で終端している。１つのコンタクトピン１０が、例えば複数の接触片１４を介して、取付端部７と電気的に接続されており、この接触片内で垂直方向に移動できるようにガイドされている。高電圧ブッシング６は、ケーシング２の内部側に穴付きのコンタクト差込み口１２を有する。サージアレスタ１の運転状態では、コンタクトピン１０の一端がこの穴に挿入される。これらの接触片１４によって、コンタクトピン１０とコンタクト差込み口１２との電気的接続が行われる。斯くして、この能動部３は、その取付端部７、コンタクトピン１０およびコンタクト差込み口１２を介して、高電圧ブッシング６と接続されている。これによって、サージアレスタ１が開閉装置内に組み込まれている場合には能動部３の開閉装置への電気的接続が行われる。
【００３４】
能動部３は、アース側でも同様な取付端部によって終端することができるが、ここでは、その取付端部はケーシング蓋８で形成されている。両方の取付端部の間に、すなわちここに示されている如く取付端部７とケーシング蓋８との間に、複数の拘束要素９が固定されており、それらが張力を掛けてスタック１００、２００、３００を一体に保持している。取付端部７は、コンタクト円盤１５（ここには見えない）によってスタック３００と電気的に接続されている。スタック１００、２００は、取付端部７に対して、絶縁円盤１３を介して電気的に絶縁されている。アース側では、スタック１００の最終のアレスタ素子４が、アース接続部２５と接続されている。アース接続部２５は、ケーシング蓋８に対して、ここには示されていないブッシングによって絶縁され、ケーシング蓋を貫通して案内されている。
【００３５】
全てのスタック１００、２００、３００は、ケーシング蓋８に対して、絶縁円盤１３を介して絶縁されている。
【００３６】
断路機構２０を用いて、能動部３を高電圧ブッシング６から分離することができる。この断路機構２０は、ケーシング２の外部に配置された、手動または電気モータで作動可能な操作機構２４と、回転軸２１と、プッシュロッド２２と、このプッシュロッドと結合されたコンタクトピン１０とを含む。前述の回転軸２１は、操作機構２４によって駆動され、ケーシング蓋８を通って流体密にケーシング２の内部に案内されている。プッシュロッド２２と回転軸２１は、ここではねじ付きナット２３として構成されているギアによって連結されている。このギアは、回転軸２１の回転運動をプッシュロッド２２の縦方向軸３０に沿った直線運動に変換する。操作機構２４によって回転軸２１が回転されると、ねじ付きナット２３の雌ねじと係合している回転軸２１の端部の雄ねじにより、ねじ付きナット２３が縦方向軸３０に沿ってケーシング蓋８へ向かって動かされる。ここで、ねじ付きナット２３は、１つまたは多数のスペーサ５の開口部の中で、ねじり強度を有して支承されており、且つ、垂直方向にガイドされる。ねじ付きナット２３が傾くのを防ぐべく、このねじ付きナットは、少なくとも２つのスペーサ５においてガイドされていると好適である。ねじ付きナット２３は、その動きを垂直方向にプッシュロッド２２に伝え、このプッシュロッドは、コンタクトピン１０を同様に動かし、最終的にコンタクトピン１０がコンタクト差込み口１２内のガイドから出され、こうして、高電圧ブッシング６への電気的接続が断たれる。能動部３は、もはや高電圧ブッシング６とは電気的に接続されていない。サージアレスタ１が開閉装置に組み入れられている場合には、それによって、能動部３は開閉装置から分離される。次いで、開閉装置の試験を行うことができる。試験が終わると、操作機構２４の逆の操作により、コンタクトピン１０がコンタクト差込み口１２内の元の位置に戻されることによって、電気接続が回復される。サージアレスタ１は、再び運転準備が完了した状態となる。
【００３７】
図２は、本発明によるサージアレスタの能動部３の模式図であり、特にアレスタ素子４、４０の電気接続を示している。ここに示された能動部３は、図１の能動部に対応するものであるが、強く模式化されている。図１での三角形の配置は、ここではこの接続をより分かりやすくするために１つの面に展開して示されている。この能動部３は３つのスタック１００、２００、３００で組み立てられている。スタック１００は、図１に示されている２つのスタックの左側に、スタック２は、右側に対応する。スタック３００は、図１では隠れている。各スタック１００、２００、３００は、多数の互いに上下に積層されたアレスタ素子４、４０、４１、４２、４３を有しているが、ここではそのうちの幾つかにのみ符号が付されている。各スタック１００、２００、３００は、多数のスペーサ５、５０によって個別のスタックセグメント１０１、１０２、２０１、２０２、３０１に分割されている。全てのスタック１００、２００、３００の個々のアレスタ素子４、４０、４１、４２、４３は、直接または間接に、互いに電気的に接続されている。この場合、アレスタ素子４、４０、４１、４２、４３の中の２つのアレスタ素子の直接接続に関しては、アレスタ素子４、４０、４１、４２、４３の中の２つのアレスタ素子相互の直接的な電気接触であるか、または、良電導導体、例えば金属、を用いての電気接続である。他のアレスタ素子４、４０、４１、４２、４３を含む電気接続は、本発明では間接的と見做される。例えば、アレスタ素子４１は両方のアレスタ素子４２と、あるケースでは直接接触によって、別のケースではコンタクトプレート５２によって、直接に電気接続されている。アレスタ素子４１は、両方のアレスタ素子４３とは間接的にしか接続されていない。なぜなら、これらのアレスタ素子の間の電流路１１に、それぞれ他のアレスタ素子４、４２が配置されているからである。
【００３８】
能動部３の３つのスタック１００、２００、３００は、それぞれ垂直方向に延びており、水平方向では正三角形状に平行に配置されている。
【００３９】
複数のスペーサ５、５０によって、電流路１１は能動部３の全ての３つのスタック１００、２００、３００の全アレスタ素子４、４０、４１、４２、４３を通って蛇行状に導かれる。複数のスペーサ５、５０が垂直方向に互いに間隔を置いてスタック１００、２００、３００の中に挿入されている。各スペーサ５、５０はスタック１００、２００、３００をそれぞれ２つのスタックセグメント１０１、１０２、２０１、２０２、３０１に分割する。すなわち、スペーサ５はスタック１００をスタックセグメント１０１、１０２に分割する。これらのスタックセグメントは、スペーサ５により垂直方向に互いに分割されて、スペーサ５の両方の反対側に配置されている。同様に、スペーサ５０は、スタック２００をスタックセグメント２０１、２０２に分割する。スタック３００のスタックセグメント３０１は、スペーサ５０を貫通し、隣接するスペーサ５への縦方向の電気接続を行う。各スペーサ５、５０は、電気絶縁材料、例えば樹脂、からなる円盤状の絶縁皿５１を有する。スペーサ５、５０のフロント側の対向する両面にはそれぞれ、例えばアルミニウムのような導電性材料からなる、コンタクトプレート５２、５３が取り付けられている。このコンタクトプレート５２、５３はそれぞれ、異なるスタックのスタックセグメント間の横方向の電気接続を行う。すなわち、コンタクトプレート５２は、スタック１００のスタックセグメント１０１とスタック２００のスタックセグメント２０１との間の横方向の電気接続を行う。スタック２００のスタックセグメント２０１とスタック３００のスタックセグメント３０１との間では、スペーサ５０は電気接続を行わない。なぜなら、そのフロント面の対応する箇所が、電気絶縁をするからである。スペーサ５０の、コンタクトプレート５２とは反対側のフロント側にも同様にコンタクトプレート５３が取り付けられている。これにより、スタック１００のスタックセグメント１０２とスタック２００のスタックセグメント２０２とが互いに電気的に接続される。スタック３００の領域では、スペーサ５０は１つの貫通孔５５を有し、これがスタック３００のスタックセグメント３０１で貫通されている。
【００４０】
図３および４は、図１のサージアレスタ１の詳細図である。
【００４１】
図４は、ねじ付きナット２３がスペーサ５の中央開口５７でどのようにガイドされているかを示している。このねじ付きナット２３は、概ね三角形の断面を有する。中央開口５７の断面は、次のように形成されている。すなわち、ねじ付きナット２３の外套面が多くの箇所でスペーサ５の中央開口５７の内面に保持されているように形成されており、この場合、ねじ付きナット２３は、ねじれ強度を有してスペーサ５内で支承されている。しかしこのねじ付きナット２３は、垂直方向には移動可能である。このねじ付きナットは、移動時に少なくとも２つのスペーサ５によって水平方向にガイドされ、それによって傾くことが防止される。中央開口５７は、さらに、次のように形成されている。すなわち、スタック１００、２００、３００の中のそれぞれ２つのスタック間に配置された拘束要素９が、この中央開口５７を貫通して延びるように形成されている。これらのスペーサ５は、拘束要素９の上に組み立てる時に、非常に容易に、糸を通すように並べることができる。それ以外の複数の拘束要素９は、スペーサ５の外側で延びている。前述のそれ以外の拘束要素９は、複数のスペーサ５を外側から支えて能動部３を水平方向で安定させるように配置されている。
【００４２】
スペーサ５は、３つのスタック１００、２００、３００の全てを外側から囲むように形成されている。これらのスペーサ５の外側は、絶縁皿５１の周回している胴部５６で以て終端している。この胴部５６は、絶縁皿５１の各フロント面から垂直方向に延びている。すなわち、この胴部５６は、アレスタ素子４のための水平方向のガイドの役目を有する。
【００４３】
貫通孔５５に対して水平方向に、絶縁皿５１のフロント面の一部にコンタクトプレート５２、５３が載置されている。各コンタクトプレート５２、５３は、２つのスタック、ここでは１００と２００、のアレスタ素子４の接触面を互いに接続し、それによって、これらのスタックを互いに電気的に接続する。載置面全体が胴部５６で取り巻かれているので、これらの載置面は胴部５６で終端された凹部を形成している。絶縁皿５１上の、コンタクトプレート５２、５３が載置される面には、導電層５４、例えば導電性ラッカー、が設けられている。導電層５４は、部分的には胴部５６に沿って垂直方向にも延びており、それによって、コンタクトプレート５２、５３のエッジの電気シールドを保証する。導電層５４はさらに、絶縁皿５１とコンタクトプレート５２、５３とが互いに完全には接触しないで気泡を含むような不均一面がある場合に、この層がなければ発生するであろうコロナ放電を防ぐ。導電層５４は、そのような気泡が同一電位の面で取り囲まれるように作用し、その結果、コロナ放電を発生しないようにすることができる。
【００４４】
上述のスペーサ５は、貫通孔５５の中心を通る水平方向の鏡面軸６０に対して鏡面対称に形成されていると好適である。その結果、コンタクトプレート５２、５３も同様に、上述の鏡面軸６０に対して鏡面対称となる。
【００４５】
図５および図６は、簡易化された能動部３の分解図である。分かり易くするために、ここでは特に拘束要素９および断路機構２０は省略されている。スペーサ５も同様に、簡易化して示されており、特にそれらは貫通孔５５および中央開口５７なしに示されている。
【符号の説明】
【００４６】
１        サージアレスタ
２        ケーシング
３        能動部
４        アレスタ素子
５        スペーサ
６        高電圧ブッシング
７        取付端部
８        ケーシング蓋
９        拘束要素
１０      コンタクトピン
１１      電流路
１２      コンタクト差込み口
１３      絶縁円盤
１４      接触片
１５      コンタクト円盤
１７      ブッシング絶縁部
２０      断路機構
２１      回転軸
２２      プッシュロッド
２３      ねじ付きナット
２４      操作機構
２５      電気的アース接続部
３０      縦方向軸
４０      アレスタ素子
４１      アレスタ素子
４２      アレスタ素子
４３      アレスタ素子
５０      スペーサ
５１      絶縁皿
５２      コンタクトプレート
５３      コンタクトプレート
５４      導電層
５５      貫通孔
５６      胴部
５７      中央開口
６０      鏡面軸
１００    スタック
１０１    スタックセグメント
１０２    スタックセグメント
２００    スタック
２０１    スタックセグメント
２０２    スタックセグメント
３００    スタック
３０１    スタックセグメント
【図１】
0006343309.tif 000002
【図２】
0006343309.tif 000003
【図３】
0006343309.tif 000004
【図４】
0006343309.tif 000005
【図５】
0006343309.tif 000006
【図６】
0006343309.tif 000007